(57)【要約】【課題】  ガス富化ユニットのガス富化膜の信頼性を高め、しかもよりコンパクトな構成にできる空気調和機を提供する。【解決手段】  ガス富化ユニット７を室外ユニットの天板１５近傍に略水平に配置することにより、室外ユニット１の送風性能を低下させず、砂塵の混じった空気からガス富化膜７ｂの傷付きを低減，防止する。【選択図】  図１
2005083615.tif 000002
【特許請求の範囲】
【請求項１】
箱型の筐体を有し、ファンと、所定のガス成分の濃度を高める機能を有する少なくとも一枚の板状の分離膜を有して構成されるガス富化ユニットを室外機に備えており、ガス富化機能を有する空気調和機において、前記ガス富化ユニット板状の分離膜を筐体の天板近傍に取り付けたことを特徴とする空気調和機。
【請求項２】
天板は天面を構成するとともに、周囲部が折り返されて側壁部と嵌合して外枠の一部を構成するとともに、前記ガス富化ユニットの吸い込み口の少なくとも一部が、水平方向で天板の折り返し部に隠れるように構成したことを特徴とする請求項１記載の空気調和機。
【請求項３】
ガス富化ユニットは板状の分離膜が略水平から所定角度傾斜して取り付けられたことを特徴とする請求項１に記載の空気調和機。
【請求項４】
ガス富化ユニットは富化されたガスを導くガス取出口を有し、このガス取出口近傍が水平方向再下方になるように前記ガス富化ユニット傾斜させて取り付けたことを特徴とする請求項３に記載の空気調和機。
【発明の詳細な説明】
【技術分野】
【０００１】
本発明は、所定のガス成分の濃度を高める機能を有するガス富化ユニットを備えた空気調和機に関するものである。
【背景技術】
【０００２】
従来の空気調和機のガス富化ユニット７の取付けは、図５に示すように、圧縮機２で圧縮したガスを熱交換する熱交換器３を搭載し、熱交換器３の放熱を助けるファン４を有した空気調和機の室外ユニット１に、所定のガス成分の濃度を高める機能を有するガス富化ユニット７とガス成分を送り出すポンプ８と、ガス成分を送るチュ−ブ９とガス成分を吐出する吐出口１０で構成されており、圧縮機室１１と送風機室１２とを仕切る遮蔽板１３に沿って、所定のガス成分の濃度を高める機能を有するガス富化ユニット７を取付けている。
【０００３】
所定のガス成分の濃度を高める機能を有するガス富化ユニット７には、新鮮な空気を供給するため、富化運転時にはファン４を運転している。これにより空気流はＡ方向から熱交換器３を通ってガス富化膜に吸引され、ファン４によりＢ方向へ排出される（例えば、特許文献１参照）。
【特許文献１】特開平２−１３６６３１号公報
【発明の開示】
【発明が解決しようとする課題】
【０００４】
しかしながら、上記従来の空気調和機の構成においてガス富化膜を下方側に取り付ければファン４を回転することにより、空気に砂塵が混じる可能性が高く、その砂塵がガス富化ユニットの繊細なガス分離膜を傷つける可能性が相対的に高くなる。
【０００５】
また、高効率、コンパクト化というニーズを踏まえると、室外ユニットの設計上、ファンはできるだけ大きく、室外ユニット筐体はできるだけ小さく構成する必要があるが、運搬性や設置占有面積等からすれば横幅方向のコンパクト化の要望が多い。そのため室外ユニットの横方向の幅を絞ると、圧縮機の配置されている室とファンの配置されている送風回路との遮蔽板にガス富化ユニットを配置することが困難となる。
【０００６】
本発明はこのような従来の課題を解決するものであり、ガス富化ユニットの性能、また室外ユニットの送風性能を維持してできるだけコンパクトな本体設計を実現するとともに、ガス富化ユニットの透過膜の損傷を極力防止することができるガス富化機能を有する空気調和機を提供することを目的とする。
【課題を解決するための手段】
【０００７】
前記従来の課題を解決するための本発明は、圧縮機室と送風機室とを仕切る遮蔽板に取り付けられた所定のガス成分の濃度を高める機能を有するガス富化ユニットの吸い込み上流側に、砂塵侵入防止用の仕切りを、取付板と前記ガス富化ユニットの間に入れて、ファンにより吸引された空気に混ざって砂塵が、ガス富化ユニットのガス富化膜に当たりにくいようにするものである。
【発明の効果】
【０００８】
以上のように、本発明のガス富化ユニットを取付けた空気調和機において、ファン径を小さくすることなくガス富化ユニットの配置ができ、またガス富化ユニットのメンテナン
スも天板を取り外すだけで容易に実施できる。そして、天板折返し部が砂塵侵入防止となり、ガス富化ユニットへ砂塵が侵入することがなくなり、ガス富化膜が傷付かないため性能低下防止にも寄与でき、雨水やファンによって散水された水からガス富化ユニットを守ることができる。
【発明を実施するための最良の形態】
【０００９】
以下本発明の実施形態について図面を参照しながら説明する。
【００１０】
（実施の形態１）
図１は、本発明の実施の形態１を示す空気調和機の上面及び正面からみた構成模式図である。空気調和機の室外ユニット１の内部に、圧縮機２で圧縮したガスを熱交換する熱交換器３を搭載し、熱交換器３の放熱を助けるファン４を配置している。ファン４はモータ５によって回転する。モータ５を駆動することによって、ファン４が回転しＡ方向から熱交換器３を通して空気を吸い込み、Ｂ方向へ排出する。ファン４は、エアガイダ６により、より良い性能を出すことができる。
【００１１】
また、選択性ガス富化装置は、所定のガス成分の濃度を高める機能を有するガス富化ユニット７とガス成分を送り出すポンプ８と、ガス成分を送るチュ−ブ９とガス成分を吐出する吐出口１０で構成されており、圧縮機室１１と送風機室１２とを仕切る遮蔽板１３とモータ取付板１４で、所定のガス成分の濃度を高める機能を有するガス富化ユニット７を取付けている。
【００１２】
図２は、図1のＫ−Ｋ断面での構成模式図である。また図３は、ガス富化ユニット７の拡大詳細図を示す。室外ユニット１の天板１５の折返し部１５ａに、ガス富化ユニット７の吸込口７ａが水平方向に隠れるように取付けられている。また、所定のガス成分の濃度を高める機能を有するガス富化ユニット７は、所定のガス成分の濃度を高める機能のガス富化膜７ｂを有している。
【００１３】
以上のように構成された空気調和機の室外ユニットにおいて、圧縮機１で圧縮したガスを熱交換器２で熱交換し、放熱のためにモータ５を駆動してファン３を回転させる。
【００１４】
また、選択性ガス富化装置は、ガス成分を送り出すポンプ８を駆動させることにより、所定のガス成分の濃度を高める機能を有するガス富化ユニット７から、所定のガス成分の濃度を高めたガスが、ガス富化ユニット７のガス取出口１６からガス成分を送るチュ−ブ９を通って排出される。
【００１５】
前記所定のガス成分の濃度を高める機能を有するガス富化ユニット７は、常に新鮮な空気が必要なため、モータ５を駆動してファン３を回転させて、所定のガス成分の濃度を高める機能のガス富化膜７ｂに常に新鮮な空気を供給する。空気といっしょに砂塵１７が、Ａ方向から熱交換器を通って天板１５の折返し部１５ａにあたって、所定のガス成分の濃度を高める機能のガス富化膜７ｂに入らなくて、ファン３により空気と共に砂塵１７は、Ｂ方向に排出される。なお、選択性ガス富化装置は、単独でも運転できる。
【００１６】
よって、ファン径を小さくせずにガス富化ユニット７の取付けを可能とし、ガス富化ユニット７のメンテナンスも容易に実施することができる。また、所定のガス成分の濃度を高める機能を有するガス富化膜７ｂは、天板１５の折返し部１５ａによって、砂塵１７によっての傷付きを防げ、新鮮な空気を所定のガス成分の濃度を高める機能を有するガス富化膜７ｂに供給することができる。
【００１７】
（実施の形態２）
図４は、本発明の第２の実施形態の空気調和機を示す正面図である。遮蔽板１３とモータ取付板１４で、所定のガス成分の濃度を高める機能を有するガス富化ユニット７を取付けている。
【００１８】
外からの雨水やファンによって散水された水が浸入しても留まることなく流れるように前記ガス富化ユニット７を傾斜させて取り付けている。また、前記ガス富化ユニット７の所定のガス成分の濃度を高める機能を有するガス富化膜７ｂ内部に浸入した場合も、ガス取出口１６から流れ出るようにガス取出口１６の方向に傾斜させて取り付けている。
【００１９】
以上のように取付けられた前記ガス富化ユニット７において、外からの雨水やファンによって散水された水を、ガス富化ユニット７や所定のガス成分の濃度を高める機能を有するガス富化膜７ｂ内部に留めることなく水を流し、ガス富化ユニット７を水から守ることができる。
【図面の簡単な説明】
【００２０】
【図１】本発明の実施形態を示す空気調和機の構成模式図
【図２】本発明の第１の実施形態を示す空気調和機の断面構成模式図
【図３】本発明の第１の実施形態を示すガス富化ユニットの拡大詳細図
【図４】本発明の第２の実施形態を示す空気調和機の正面図
【符号の説明】
【００２１】
１  室外ユニット
２  圧縮機
３  熱交換器
４  ファン
５  モータ
６  エアガイダ
７  ガス富化ユニット
７ａ  吸込口
７ｂ  ガス富化膜
８  ポンプ
９  チューブ
１０  吐出口
１１  圧縮機室
１２  送風機室
１３  遮蔽板
１４  モータ取付板
１５  天板
１５ａ  折返し部
１６  取出口
１７  砂塵
【図１】
2005083615.tif 000003
【図２】
2005083615.tif 000004
【図３】
2005083615.tif 000005
【図４】
2005083615.tif 000006